(57)【要約】【課題】柱に連結される梁の構造を簡単にできて梁の製造コストを抑制でき、また、機械式継手を用いずに柱と梁とを接合できる柱と梁との接合方法、及び、柱と梁との接合構造を提供する。【解決手段】梁１の端部１０側の端面１１と側面（上面１２）とに開口する溝１３を形成する溝形成ステップと、柱２の上端面２０における側縁２１側に梁１の溝１３が形成された端部１０側を載置する梁設置ステップと、通し材３を梁１の溝１３内及び柱２の上端面２０の上方に位置されるように設置する通し材設置ステップと、通し材３を設置した後に、柱２の上端面２０の上方にコンクリートを打設するコンクリート打設ステップとを備えた。【選択図】図２
2018112038.tif 000002
【特許請求の範囲】
【請求項１】
柱と梁との接合方法であって、
梁の端部側の端面と側面とに開口する溝を形成する溝形成ステップと、
柱の上端面における側縁側に梁の溝が形成された端部側を載置する梁設置ステップと、
通し材を梁の溝内及び柱の上端面の上方に位置されるように設置する通し材設置ステップと、
通し材を設置した後に、柱の上端面の上方にコンクリートを打設するコンクリート打設ステップとを備えたことを特徴とする柱と梁との接合方法。
【請求項２】
柱と梁との接合方法であって、
梁の端部側の端面と側面とに開口する溝を形成する溝形成ステップと、
柱の上端面における互いに対向する一方の側縁側に一方の梁の溝が形成された端部側を載置するとともに、柱の上端面における互いに対向する他方の側縁側に他方の梁の溝が形成された端部側を載置して、各梁の溝が開口する端面同士を向かい合わせる梁設置ステップと、
通し材を各梁の各溝内及び柱の上端面の上方に位置されるように設置する通し材設置ステップと、
通し材を設置した後に、柱の上端面の上方にコンクリートを打設するコンクリート打設ステップとを備えたことを特徴とする柱と梁との接合方法。
【請求項３】
柱と梁との接合構造において、
柱と、
柱の上端面における側縁側に端部側が載置された梁と、
柱の上端面における側縁側に載置された梁の端部側の端面と側面とに開口するように形成された溝と、
一端側が梁の溝に挿入され、かつ、他端側が柱の上端面の上方に位置されるように設置された通し材とを備え、
柱の上端面の上方にコンクリートが打設されて柱と梁とが接合されたことを特徴とする柱と梁との接合構造。
【請求項４】
柱と梁との接合構造において、
柱と、
柱の上端面における互いに対向する一方の側縁側に端部側が載置された一方の梁と、
柱の上端面における互いに対向する他方の側縁側に端部側が載置された他方の梁と、
柱の上端面における互いに対向する各側縁側に載置された各梁の端部側の端面と側面とに開口するように形成された溝と、
両端側が各梁の各溝に挿入され、かつ、中央部が柱の上端面の上方に位置されるように設置された通し材とを備え、
柱の上端面の上方にコンクリートが打設されて柱と梁とが接合されたことを特徴とする柱と梁との接合構造。
【請求項５】
梁が木質系材料により形成された梁であることを特徴とする請求項３又は請求項４に記載の柱と梁との接合構造。
【請求項６】
通し材が両端部に定着部を備え、
柱の上端面における互いに対向する側縁側に載置された各梁の端部側の一方の端面から他方の端面に近付く方向に延長するように設けられた溝の延長端側に定着部を挿入するための定着部挿入溝部を備えたことを特徴とする請求項３乃至請求項５のいずれか一項に記載の柱と梁との接合構造。
【請求項７】
溝に挿入された通し材と溝の周壁との間の隙間に充填材が充填されたことを特徴とする請求項３乃至請求項６のいずれか一項に記載の柱と梁との接合構造。
【発明の詳細な説明】
【技術分野】
【０００１】
本発明は、柱と梁との接合に関する。
【背景技術】
【０００２】
従来、柱と梁との接合方法として、例えば、木質系材料で形成された梁を鉄筋コンクリート製の柱に接合する方法が知られている（非特許文献１参照）。
当該方法では、梁内に内蔵させた鉄筋の一端側を当該梁の木口面から所定の長さだけ突出させておき、左右の梁の木口面から突出する鉄筋同士を機械式継手で繋ぐようにしている。
また、木質系材料で形成された梁の一方の端面から他方の端面側に延長するように形成されたねじ孔と、アンカー部材と、連結用ボルトとを備え、梁に形成されたねじ孔にアンカー部材を螺着し、かつ、連結ボルトの先端側をアンカー部材の一方の端面から他方の端面側に延長する中空穴の穴底側に形成されたねじ部に螺着するとともに、連結ボルトの後端側を中空穴より突出させた梁の柱連結部構造が知られている（特許文献１参照）。
【先行技術文献】
【非特許文献】
【０００３】
【非特許文献１】「鉄筋コンクリート柱と集成材梁の接合方法に関する研究」、日本建築学会大会学術講演梗概集（九州）、２０１６年８月、ｐ．１４９５−１４９６
【特許文献】
【０００４】
【特許文献１】特開２００７−２３１６４４号公報
【発明の概要】
【発明が解決しようとする課題】
【０００５】
しかしながら、上述した従来技術では、鉄筋や連結ボルト等の連結材を梁の一端部側に内蔵させるための梁の一端部側の構造が複雑となったり、一端部側に連結材を内蔵させた梁の製造コストが高くなる等の問題があった。
また、非特許文献１に開示された従来技術では、左右の梁の木口面から突出する鉄筋同士を機械式継手で繋ぐようにしているため、左の梁の木口面から突出する鉄筋の位置と右の梁の木口面から突出する鉄筋の位置がずれている場合には、左右の梁の木口面から突出する鉄筋同士を機械式継手で繋ぐことができなくなる。
本発明は、柱に連結される梁の構造を簡単にできて梁の製造コストを抑制でき、また、機械式継手を用いずに柱と梁とを接合できる柱と梁との接合方法、及び、柱と梁との接合構造を提供するものである。
【課題を解決するための手段】
【０００６】
本発明に係る柱と梁との接合方法は、梁の端部側の端面と側面とに開口する溝を形成する溝形成ステップと、柱の上端面における側縁側に梁の溝が形成された端部側を載置する梁設置ステップと、通し材を梁の溝内及び柱の上端面の上方に位置されるように設置する通し材設置ステップと、通し材を設置した後に、柱の上端面の上方にコンクリートを打設するコンクリート打設ステップとを備えた方法、あるいは、梁の端部側の端面と側面とに開口する溝を形成する溝形成ステップと、柱の上端面における互いに対向する一方の側縁側に一方の梁の溝が形成された端部側を載置するとともに、柱の上端面における互いに対向する他方の側縁側に他方の梁の溝が形成された端部側を載置して、各梁の溝が開口する端面同士を向かい合わせる梁設置ステップと、通し材を各梁の各溝内及び柱の上端面の上方に位置されるように設置する通し材設置ステップと、通し材を設置した後に、柱の上端面の上方にコンクリートを打設するコンクリート打設ステップとを備えた方法であるので、柱に連結される梁の構造を簡単にできて梁の製造コストを抑制でき、また、機械式継手を用いずに柱と梁とを接合できるようになる。
また、本発明に係る柱と梁との接合構造は、柱と、柱の上端面における側縁側に端部側が載置された梁と、柱の上端面における側縁側に載置された梁の端部側の端面と側面とに開口するように形成された溝と、一端側が梁の溝に挿入され、かつ、他端側が柱の上端面の上方に位置されるように設置された通し材とを備え、柱の上端面の上方にコンクリートが打設されて柱と梁とが接合された構造、あるいは、柱と、柱の上端面における互いに対向する一方の側縁側に端部側が載置された一方の梁と、柱の上端面における互いに対向する他方の側縁側に端部側が載置された他方の梁と、柱の上端面における互いに対向する各側縁側に載置された各梁の端部側の端面と側面とに開口するように形成された溝と、両端側が各梁の各溝に挿入され、かつ、中央部が柱の上端面の上方に位置されるように設置された通し材とを備え、柱の上端面の上方にコンクリートが打設されて柱と梁とが接合された構造であるので、柱に連結される梁の構造を簡単にできて梁の製造コストを抑制でき、また、機械式継手を用いずに柱と梁とを接合できるようになる。
また、梁が木質系材料により形成された梁であり、柱が鉄筋コンクリート製の柱であることを特徴とするので、鉄筋コンクリート製の柱と木質系材料により形成された梁とを簡単かつ容易に接合できるようになる。
また、通し材が両端部に定着部を備え、柱の上端面における互いに対向する側縁側に載置された各梁の端部側の一方の端面から他方の端面に近付く方向に延長するように設けられた溝の延長端側に定着部を挿入するための定着部挿入溝部部を備えたので、梁に対する通し材の定着性能が向上する。
溝に挿入された通し材と溝の周壁との間の隙間に充填材が充填されたので、梁と通し材との一体性が向上する。
【図面の簡単な説明】
【０００７】
【図１】柱と梁との接合構造を示す平面図。
【図２】柱と梁との接合構造を示す図１のＡ−Ａ断面図。
【図３】通し材の別例を示す図。
【発明を実施するための形態】
【０００８】
実施形態に係る柱と梁との接合方法は、木質系材料により形成された梁１を鉄筋コンクリート構造の柱２に接合する方法であって、予め梁１の端部１０側の端面１１と上面１２となる側面とに開口する溝１３を形成しておき、柱２の上端面２０における互いに対向する一方の側縁２１ａ側に一方の梁１Ａの端部１０側を載置するとともに、柱２の上端面２０における互いに対向する他方の側縁２１ｂ側に他方の梁１Ｂの端部１０側を載置して、各梁１，１の端面１１，１１同士を向かい合わせ、通し材３を各梁１，１の各溝１３，１３内及び柱２の上端面２０の上方に設置されたせん断補強筋２２の上に位置されるように設置した後に、柱２の上端面２０の上方に図外のコンクリートを打設して柱２と梁１Ａ，１Ｂとを接合する方法である。
即ち、実施形態１に係る柱と梁との接合方法は、梁１の端部１０側の端面１１と側面とに開口する溝１３を形成する溝形成ステップと、柱２の上端面２０における互いに対向する一方の側縁２１ａ側に一方の梁１Ａの溝１３が形成された端部１０側を載置するとともに、柱２の上端面２０における互いに対向する他方の側縁２１ｂ側に他方の梁１Ｂの溝１３が形成された端部１０，１０側を載置して、各梁１Ａ，１Ｂの溝１３，１３が開口する端面１１，１１同士を向かい合わせる梁設置ステップと、通し材３を各梁１Ａ；１Ｂの各溝１３，１３内及び柱２の上端面２０の上方に設置されたせん断補強筋２２の上に位置されるように設置する通し材設置ステップと、通し材３を設置した後に、柱２の上端面２０の上方にコンクリートを打設するコンクリート打設ステップとを備えた方法である。
【０００９】
当該接合方法により接合された柱２と梁１との接合構造、即ち、柱２と梁１とが接合された仕口構造は、柱２と、柱２の上端面２０における互いに対向する一方の側縁２１ａ側に端部１０側が載置された一方の梁１Ａと、柱２の上端面２０における互いに対向する他方の側縁２１ｂ側に端部１０側が載置された他方の梁１Ｂと、柱２の上端面２０における互いに対向する各側縁２１ａ，２１ｂ側に載置された各梁１Ａ，１Ｂの端部１０，１０側の端面１１と上面１２となる側面とに開口するように形成された各溝１３，１３と、両端側が各梁１Ａ，１Ｂの各溝１３，１３に挿入され、かつ、中央部が柱２の上端面２０の上方に設置されたせん断補強筋２２の上に位置されるように設置された通し材３とを備え、柱２の上端面２０の上方に図外のコンクリートが打設されて柱２と梁１とが接合された構造である。
【００１０】
梁１は、例えば、ＣＬＴ（Ｃｒｏｓｓ  Ｌａｍｉｎａｔｅｄ  Ｔｉｍｂｅｒ（木製集成材）)により形成された梁である。
柱２は、現場でのコンクリート打設により形成された鉄筋コンクリート製の柱、又は、プレキャスト鉄筋コンクリート製の柱であり、上端面２０から柱主筋２３が突出するように形成される。
【００１１】
通し材３は、端面１１，１１同士が対向するように端部１０，１０側が柱２の上端面２０の互いに対向する側縁２１ａ，２１ｂ側に載置された各梁１Ａ，１Ｂの端部１０，１０に跨るように設置されて、梁１Ａ；１Ｂと柱２とを連結する連結部材である。
通し材３としては、例えば、両端に定着部３１，３１を備えた鉄筋を用いる。即ち、通し材３は、鉄筋部３２と当該鉄筋部３２の両端に設けられた当該鉄筋部３２の径よりも大径の定着部３１，３１とを備えた構成の棒材を用いる。
定着部３１は、鉄筋部３２の端部に設けられた例えば円板体により形成される。当該円板体は、鉄筋部３２の中心線を中心とする当該鉄筋部３２の径よりも大径の円板体により形成される。
【００１２】
溝１３は、例えば、梁１の端部１０側が柱２の上端面２０における側縁２１側に設置された場合において上面１２となる側面と端面１１とに開口する溝により形成され、通し材３の端部側の鉄筋部３２が挿入される鉄筋挿入溝部１５と、通し材３の定着部３１が挿入される定着部挿入溝部１６とを備える。
即ち、当該溝１３は、柱２の上端面２０における側縁２１側に設置された梁１の端部１０側の上面１２となる側面から下面１７となる側面側に延長するとともに、一方の端面１１から他方の端面側に延長する溝により形成される。
そして、端部１０側が柱２の上端面２０における側縁２１側に設置された当該梁１を上方から見た場合において、図１に示すように、一方の端面１１より他方の端面側に延長する溝１３の延長端側に定着部挿入溝部１６が形成され、当該定着部挿入溝部１６は、溝幅が鉄筋挿入溝部１５の溝幅よりも幅広の断面矩形形状に形成される。つまり、一方の端面１１から定着部挿入溝部１６まで延長する鉄筋挿入溝部１５の溝幅は、通し材３の鉄筋部３２が挿入可能でかつ定着部３１の径よりも小さい一定の溝幅に形成され、定着部挿入溝部１６の溝幅は、定着部３１が挿入可能な一定の溝幅に形成されている。
そして、柱２の左右に載置された梁１Ａ，１Ｂの上方から、通し材３の両端の各定着部３１，３１が各梁１Ａ，１Ｂの定着部挿入溝部１６，１６に挿入され、通し材３の両端側の鉄筋部３２が鉄筋挿入溝部１５，１５に挿入されることによって、定着部３１が定着部挿入溝部１６に係合する。そして、定着部挿入溝部１６と定着部３１との間、及び、鉄筋挿入溝部１５と鉄筋部３２との間に、図外の充填材を充填することにより、施工現場において当該溝１３，１３に挿入された通し材３が梁１Ａ，１Ｂに定着する。このように通し材３が定着部３１；３１を備えることで、梁１Ａ，１Ｂに対する通し材３の定着性能が向上し、また、溝１３に挿入された通し材３と溝１３の周壁との間の隙間に図外の充填材が充填されることで、梁１と通し材３との一体性が向上する。
【００１３】
また、通し材３の上下方向の位置決めは、当該通し材３の鉄筋部３２の中央部を、柱２の上部に設置されるせん断補強筋２２の上に載置することにより行う。
つまり、柱２の上端面２０から突出する複数の柱主筋２３，２３…を囲むように設置されて当該柱主筋２３，２３…に連結されるせん断補強筋２２を所定の間隔を隔てて上方に複数段配置していく際に、通し材３を設置する。
例えば、溝１３内に上下２本の通し材３を設置する場合は、現場にて、柱２の上端面２０側にせん断補強筋２２を設置した後に、下側の通し材３の両端側を梁１Ａ，１Ｂの溝１３，１３に挿入するとともに、下側の通し材３の中央側を当該せん断補強筋２２の上に設置する。その後、せん断補強筋２２を上方に複数段設置した後、上側の通し材３の両端側を梁１Ａ，１Ｂの溝１３，１３に挿入するとともに、上側の通し材３の中央側を直前に設置したせん断補強筋２２の上に設置する。
尚、最も下方に位置される通し材３は、図２に示すように、定着部３１が定着部挿入溝部１６の溝底に接触するように設置してもよい。即ち、最も下方に位置される通し材３は、溝１３に挿入されていない中央部が柱２の上端面２０より上方に突出する柱主筋２３を取り囲むように設置されたせん断補強筋２２の上に載るように設置するか、あるいは、両端の定着部３１，３１が定着部挿入溝部１６，１６の溝底に接触するように設置すればよい。
【００１４】
実施形態に係る柱と梁との接合方法の手順を説明する。
例えば、図１に示すように、柱２の上端面２０において互いに平行に対向する各側縁２１ａ，２１ｂ側に各梁１Ａ，１Ｂの端部１０，１０側を設置する。柱２の上端面２０上において端面１１，１１が互いに向かい合うように柱２の上端面２０に設置された一方の梁１Ａの溝１３に通し材３の一端側を挿入し、かつ、他方の梁１Ｂの溝１３に通し材３の他端側挿入することにより、通し材３が各梁１Ａ，１Ｂの端部１０，１０間を跨ぐように設けられる。そして、規定本数のせん断補強筋２２及び通し材３を設置した後、定着部挿入溝部１６と定着部３１との間、及び、鉄筋部挿入溝部１５と鉄筋部３２との間に、例えばエポキシ系の接着剤等の充填材を充填するとともに、柱２の上端面２０の上方にコンクリートを打設することにより、梁１Ａ；１Ｂと柱２とが接合される。
尚、規定位置に設置されるせん断補強筋２２の上に通し材３が載らない場合、通し材３を支持できる補強筋（例えば捨てせん断補強筋）を設ける。
【００１５】
実施形態に係る柱と梁との接合方法及び接合構造によれば、端部１０側に鉄筋等の連結材を内蔵した梁を製造しなくてもよくなるので、柱２に連結される梁１の構造を簡単にできて梁１の製造コストを抑制できる。
また、柱２の上端面２０における互いに対向する各側縁２１ａ，２１ｂ側に載置された各梁１Ａ，１Ｂの端部１０，１０側の端面１１と上面１２となる側面とに開口するように形成された各溝１３，１３に、現場において、通し材３の両端側を挿入するだけなので、機械式継手を用いずに、簡単かつ容易に、梁１Ａ；１Ｂと柱２とを接合できるようになる。
また、柱２の上端面２０における互いに対向する各側縁２１ａ，２１ｂ側に載置された各梁１Ａ，１Ｂの各溝１３，１３の中心が多少ずれていたとしても、通し材３を各溝１３；１３内でずらして通し材３の両端側を各溝１３；１３に挿入させたり、あるいは、通し材３を多少撓ませて通し材３の両端側を各溝１３；１３に挿入させることが可能となる。従って、非特許文献１に開示された従来技術のように、左の梁の木口面から突出する鉄筋の位置と右の梁の木口面から突出する鉄筋の位置がずれている場合には、左右の梁の木口面から突出する鉄筋同士を機械式継手で繋ぐことができなくなるという問題を解消できるようになる。
また、鉄筋コンクリート製の柱２と木質系材料により形成された梁１Ａ；１Ｂとを簡単かつ容易に接合できるようになる。
【００１６】
尚、上記では、両端に円板状の定着部３１，３１を備えた通し材３を用いた例を示したが、両端側を曲げて定着部とした構成を通し材を用いてもよい。
また、両端に定着部３１，３１を備えない通し材を用いてもよい。この場合、梁の一方の端面から他方の端面側に延長する溝１３の延長長さを長くして、溝１３に挿入される通し材３の定着長さを長くすればよい。
尚、例えば、通し材３を上下方向に２本設置する場合、下側の通し材３として、両端を下方に曲げて定着部としたものを用い、上側の通し材として、上述したような両端に円板状の定着部３１，３１を備えた通し材３を用いることが好ましい。
また、上記では、鉄筋による通し材３を用いた例を示したが、板状の通し材を用いてもよい。
【００１７】
また、上記では、溝１３に挿入された通し材３と溝１３の周壁との間の隙間に充填材を充填した例を示したが、通し材３が嵌合される寸法に溝１３の寸法を設定して、通し材３を溝１３内に叩き込んだり、押し込んだりして、設置するようにすることで、溝１３に嵌め込まれた通し材３と溝１３の周壁との間の隙間に充填材を充填しない構造としてもよい。
【００１８】
また、上記では、柱２の上端面２０における側縁２１側に載置された梁１の端部１０側の端面１１と上面１２となる側面とに開口するように形成された溝１３を備えた構成を例示したが、柱２の上端面２０における側縁２１側に載置された梁１の端部１０側の端面１１と左右のいずれかの側面とに開口する溝を形成し、梁１の横側から通し材３を当該溝に挿入して設置するようにしてもよい。
【００１９】
また、上記では、断面四角形状の柱２の上端面２０における互いに対向する一方の側縁２１ａ側と他方の側縁２１ｂ側とに左右の梁１Ａ；１Ｂの端部１０，１０側を載置して当該柱２と左右の梁１Ａ，１Ｂとを連結する場合を説明したが、断面四角形状の柱２の上端面２０における４つの側縁側にそれぞれ梁１の端部１０側を設置してこれら柱２と４つの梁１とを接合する場合には、通し材３を、対向する梁１の各溝１３，１３内に交互に設置することにより、上方から見て通し材３が十字状に配置された構成とした後に、柱２の上端面２０の上方側に図外のコンクリートを打設することにより、断面四角形状の柱２と、当該柱２の上端面２０における４つの側縁側に載置された４つの梁１，１…とを接合することができる。
【００２０】
また、断面四角形状の柱２の上端面２０における互いに対向する側縁側の一方の側縁側にだけ梁１の端部１０側が載置されて当該柱２と梁１とを接合させる場合には、当該梁１の端部１０側に形成された溝１３に通し材３の一端側を設置するとともに、当該通し材３の他端側を柱２の上端面２０の上方に設置されたせん断補強筋２２の上に載置した後に、柱２の上端面２０の上方側に図外のコンクリートを打設することにより、当該柱２と梁１とを接合することができる。
即ち、この場合の柱と梁との接合方法は、梁１の端部１０側の端面１１と側面とに開口する溝１３を形成する溝形成ステップと、柱２の上端面２０における側縁２１側に梁１の溝１３が形成された端部１０側を載置する梁設置ステップと、通し材３を梁１の溝１３内及び柱２の上端面２０の上方に設置されたせん断補強筋２２の上に位置されるように設置する通し材設置ステップと、通し材３を設置した後に、柱２の上端面２０の上方にコンクリートを打設するコンクリート打設ステップとを備えた方法である。
また、この場合の柱と梁との接合構造は、柱２と、柱２の上端面２０における側縁２１側に端部１０側が載置された梁１と、柱２の上端面２０における側縁２１側に載置された梁１の端部１０側の端面１１と側面とに開口するように形成された溝１３と、一端側が梁１の溝１３に挿入され、かつ、他端側が柱２の上端面２０の上方に設置されたせん断補強筋２２の上に位置されるように設置された通し材３とを備え、柱２の上端面２０の上方にコンクリートが打設されて柱２と梁１とが接合された構造である。
【００２１】
尚、上記では、通し材３をせん断補強筋２２の上に載置する例を示したが、通し材３をせん断補強筋２２からぶら下げたり、せん断補強筋２２の上側又は下側に間隔を隔てて位置させるようにしてもよい。即ち、本発明では、通し材３の中央部又は他端側が柱２の上端面２０の上方に設置されて柱２の上端面２０の上方にコンクリートが打設されることにより柱２と梁１とが接合されるようにすればよい。
【００２２】
また、通し材３としては、例えば、図３に示すような、長方形環状に形成された通し材３Ａを用いて、当該通し材３Ａの互いに対向する長辺を形成する軸部３ａ，３ｂが互いに対向する短辺を形成する軸部３ｃ，３ｃを介して上下に位置されるように設置してもよい。
あるいは、梁１Ａの端部１０に上方から見て逆コ字状の溝を形成するとともに梁１Ｂの端部１０に上方から見てコ字状の溝を形成して、これらの溝内に、上述した通し材３Ａの軸部３ａ，３ｂの両端側及び軸部３ｃ，３ｃを挿入するようにして当該通し材３Ａを設置してもよい。
【００２３】
また、上記では、木質系材料により形成された梁１を鉄筋コンクリート構造の柱２に接合する方法について説明したが、本発明は、鉄筋コンクリート構造の梁を鉄筋コンクリート構造の柱に接合する場合にも適用可能である。
【符号の説明】
【００２４】
１  梁、２  柱、３  通し材、１０  梁の端部、１１  梁の端面、
１２  梁の上面（梁の側面）、１３  溝、１６  定着部挿入溝部、２０  柱の上端面、
２１  柱の側縁、２２  柱のせん断補強筋、２３  柱主筋、３１  定着部。
【図１】
2018112038.tif 000003
【図２】
2018112038.tif 000004
【図３】
2018112038.tif 000005